【手続補正書】
【提出日】平成19年7月30日(2007.7.30)
【手続補正１】
【補正対象書類名】特許請求の範囲
【補正対象項目名】全文
【補正方法】変更
【補正の内容】
【特許請求の範囲】
【請求項１】
タバコ販売機であって、このタバコ販売機は、
排出機構と、
この販売機に対して実行される少なくとも２つ以上の異なる操作に関する承認データ並びに少なくとも製品が販売機から排出されるごとにその日時および製品の識別子を含む製品排出時の情報を記憶するメモリーと、
前記販売機へのアクセスの要求を受けるための入力装置と、
前記記憶された承認データに対して前記要求の正当性を確認するための制御ロジックとを含むタバコ販売機において、前記要求がその要求に対応した操作のための承認データを満足した場合のみ、販売機の操作が許可されることを特徴とするタバコ販売機。
【請求項２】
前記入力装置がキーパッドを含むことを特徴とする請求項１記載のタバコ販売機。
【請求項３】
前記入力装置が高周波識別識別子（RFID）読み取り機を含むことを特徴とする請求項１記載のタバコ販売機。
【請求項４】
前記入力装置が磁気カードまたはフォブの読み取り機を含むことを特徴とする請求項１記載のタバコ販売機。
【請求項５】
前記入力装置がバーコードリーダーを含むことを特徴とする請求項１記載のタバコ販売機。
【請求項６】
前記入力装置がワイヤレスリモート制御装置を含むことを特徴とする請求項１記載のタバコ販売機。
【請求項７】
２つ以上のロールが販売機に対して定義され、
どの操作が前記２つ以上のロールのために許可されるかを前記承認データが特定し、
前記要求がその要求に対応した操作の承認データーを満たしているか否かをその要求をした者に対応するロールにその操作が許可されているかどうかを調べることによって前記制御ロジックが判断する請求項１乃至６いずれか１項に記載のタバコ販売機。
【請求項８】
前記要求がその要求をした者のシリアル番号を含み、
前記承認データが一連のシリアル番号を含み、これらシリアル番号がそれぞれ前記２つ以上のロールの内の１つに割り当てられ、
前記制御ロジックが前記一連のシリアル番号の中で前記要求をした者のシリアル番号の確認のために前記承認データにアクセスし、前記要求をした者に対応するロールが前記確認されたシリアル番号に割り当てられたロールであることを特徴とする請求項７記載のタバコ販売機。
【請求項９】
前記要求がその要求をした者に割り当てられたロールを含むことを特徴とする請求項７記載のタバコ販売機。
【請求項１０】
前記２つ以上の操作の１つが販売機の補充を含むことを特徴とする請求項１乃至９いずれか１項記載のタバコ販売機。
【請求項１１】
前記２つ以上の操作の１つが販売機に記憶された価格情報の更新を含むことを特徴とする請求項１乃至１０いずれか１項記載のタバコ販売機。
【請求項１２】
前記２つ以上の操作の１つが販売機からのタバコの排出を含むことを特徴とする請求項１乃至１１いずれか１項記載のタバコ販売機。
【請求項１３】
前記制御ロジックが前記要求がタバコの排出操作の承認データを満足するか否かに応じて前記排出機構を機能させる、または機能させないことを特徴とする請求項１２記載のタバコ販売機。
【請求項１４】
メモリーに記憶された前記情報が少なくとも前記要求をした者に対応するロールを含むことを特徴とする請求項１乃至１３いずれか１項記載のタバコ販売機。
【請求項１５】
メモリーに記憶された前記情報が少なくとも前記要求をした者に対応するシリアル番号を含むことを特徴とする請求項１乃至１４いずれか１項記載のタバコ販売機。
【請求項１６】
さらに記憶された情報に外部からアクセスすることができるように少なくとも１つのデータポートを含むことを特徴とする請求項１乃至１５いずれか１項記載のタバコ販売機。
【請求項１７】
前記少なくとも１つのデータポートが外部のシステムからの販売機の１つ以上の設定を行うために使用されることを特徴とする請求項１６記載のタバコ販売機。
【請求項１８】
前記要求が実行される特定の操作を特定することを特徴とする請求項１乃至１７いずれか１項記載のタバコ販売機。
【請求項１９】
タバコ販売機を操作する方法であって、
販売機に対して実行される少なくとも２つ以上の異なる操作に関する承認データを販売機に記憶させる工程と、
販売機にアクセスする要求を受ける工程と、
前記要求がその要求に対応した操作のための承認データを満足した場合のみ、販売機の操作を許可するように記憶されたデータに対してその要求の有効性を確認する工程と、
少なくとも前記操作の日時および排出された製品の識別子を含む販売機からの排出に関する各承認された操作についての情報を記憶する工程とを含む方法。
【請求項２０】
さらに販売機に対して２つ以上のロールを定義する工程を含み、前記承認データがどの操作が前記２つ以上のロールに許可されるかを特定し、前記有効性の確認が前記操作が前記要求をした者に対応するロールに許可されているかどうかを判断することを含むことを特徴とする請求項１９記載の方法。
【請求項２１】
前記要求がその要求をした者のシリアル番号を含み、
前記承認データが一連のシリアル番号を含み、これらシリアル番号がそれぞれ前記２つ以上のロールの内の１つに割り当てられ、
前記判断が前記一連のシリアル番号の中で前記要求をした者のシリアル番号を確認するために前記承認データにアクセスすることを含み、前記要求をした者に対応するロールが前記確認されたシリアル番号に割り当てられたロールであることを特徴とする請求項２０記載の方法。
【請求項２２】
前記要求がその要求をした者に割り当てられたロールを含むことを特徴とする請求項２０記載の方法。
【請求項２３】
前記２つ以上の操作の１つが販売機の補充を含むことを特徴とする請求項１９乃至２２いずれか１項記載の方法。
【請求項２４】
前記２つ以上の操作の１つが販売機に記憶された価格情報の更新を含むことを特徴とする請求項１９乃至２３いずれか１項記載の方法。
【請求項２５】
前記２つ以上の操作の１つが販売機からのタバコの排出を含むことを特徴とする請求項１９乃至２４いずれか１項記載の方法。
【請求項２６】
前記要求がタバコの排出の操作の承認データを満足するか否かに応じて前記排出機構を機能させるまたは機能させないことを含むことを特徴とする請求項２５記載の方法。
【請求項２７】
前記２つ以上の操作の内の１つが前記承認データに新しいシリアル番号を追加することを含むことを特徴とする請求項１９乃至２６いずれか１項記載の方法。
【請求項２８】
前記２つ以上の操作の内の１つがロールにシリアル番号を割り当てることを含むことを特徴とする請求項１９乃至２７いずれか１項記載の方法。
【請求項２９】
前記記憶された情報が少なくとも前記要求をした者に対応するロールを含むことを特徴とする請求項１９乃至２８いずれか１項記載の方法。
【請求項３０】
前記記憶された情報が少なくとも前記要求をした者に対応するシリアル番号を含むことを特徴とする請求項１９乃至２９いずれか１項記載の方法。
【請求項３１】
承認された操作に関する情報に外部からアクセスするためのデータポートを使用する工程をさらに含むことを特徴とする請求項１９乃至３０いずれか１項記載の方法。
【請求項３２】
前記データポートを介して外部システムから販売機の１つ以上の設定を行う工程をさらに含むことを特徴とする請求項３１記載の方法。
【請求項３３】
前記記憶された情報をローカルプリンターに出力する工程をさらに含むことを特徴とする請求項１９乃至３２いずれか１項記載の方法。
【請求項３４】
ネットワーク接続を介して前記記憶された情報を出力する工程をさらに含むことを特徴とする請求項１９乃至３２いずれか１項記載の方法。
【請求項３５】
前記記憶された情報に基づいてレポートを作成する工程をさらに含み、前記レポートが複数のタイムスケールを網羅することができることを特徴とする請求項１９乃至３４いずれか１項記載の方法。
【請求項３６】
ラップトップコンピューターまたはPDAと販売機内のデータまたは情報を同期させる工程をさらに含むことを特徴とする請求項１９乃至３５いずれか１項記載の方法。
【請求項３７】
前記要求が実行される特定の操作を特定することを特徴とする請求項１９乃至３６いずれか１項記載の方法。
【請求項３８】
バックオブバー形式のサービスの提供に使用されることを特徴とする請求項１９乃至３７いずれか１項記載の方法。
【請求項３９】
タバコ販売機であって、
１つが販売機から製品を排出する操作であり、もう１つが販売機を補充する操作である販売機に対して実行される少なくとも２つ以上の異なる操作に関する承認データを販売機に記憶させる手段と、
販売機にアクセスする要求を受ける手段と、
前記要求がその要求に対応した操作のための承認データを満足した場合のみ、販売機の操作を許可するように記憶されたデータに対してその要求の有効性を確認する手段とを含むことを特徴とするタバコ販売機。